【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
ネットワークで通信するための方法であって、
第２のデバイスの近隣を指定するための要求メッセージを第１のデバイスから前記第２のデバイスへ送信することと、ここで、前記要求メッセージは、前記第２のデバイスと前記近隣との間の少なくとも１つの接続に関するリンク・メトリック情報の要求を含み、ここで、第３のデバイスは、前記要求メッセージ中で指定された前記第２のデバイスの近隣である、
前記要求メッセージに応じて、前記第２のデバイスから応答メッセージを受信することとを備え、ここで、前記応答メッセージは、前記第２のデバイスによって決定された前記リンク・メトリック情報を含む方法。
【請求項２】
前記ネットワークは、前記第２のデバイスと前記第３のデバイスとの間の複数の接続を有するハイブリッド通信ネットワークを備える、請求項１に記載の方法。
【請求項３】
前記要求メッセージは、前記第２のデバイスと前記第３のデバイスとの間の複数の接続を特定する、請求項１に記載の方法。
【請求項４】
前記応答メッセージに含まれる前記リンク・メトリック情報は、前記第２のデバイスと前記第３のデバイスとの間の複数の接続の各々に関するインタフェース特有リンク・メトリック情報を備える、請求項１に記載の方法。
【請求項５】
前記第２のデバイスを経由して前記第１のデバイスから前記第３のデバイスへ通信するために、前記第２のデバイスと前記第３のデバイスとの間の前記複数の接続のうちの１つを、前記第１のデバイスにおいて選択することを備え、
前記選択することは、前記リンク・メトリック情報に、少なくとも部分的に基づく、請求項４に記載の方法。
【請求項６】
前記要求メッセージは、通知予約を確立する予約メッセージを備える、請求項１に記載の方法。
【請求項７】
前記予約メッセージは、前記通知予約のための時間長さを指定する、請求項６に記載の方法。
【請求項８】
前記通知予約をキャンセルするために、前記第１のデバイスから前記第２のデバイスに予約キャンセル・メッセージを送信することをさらに備える、請求項６に記載の方法。
【請求項９】
前記予約メッセージは、前記通知予約が、トリガされた通知、定期的な通知、および、トリガされた通知と定期的な通知との組み合わせから成る群のうちの少なくとも１つの要素を要求することに関連付けられていることを示す、請求項６に記載の方法。
【請求項１０】
前記トリガされた通知は、前記リンク・メトリック情報における変化が、しきい量を超えたことに応じて受信される、請求項９に記載の方法。
【請求項１１】
前記少なくとも１つの接続に関する前記リンク・メトリック情報は、第１のリンク・メトリック情報を備え、前記方法は、
前記第３のデバイスと第４のデバイスとの間の少なくとも第２の接続に関する第２のリンク・メトリック情報の第２の要求を備える第２の要求メッセージを、前記第１のデバイスから前記第４のデバイスへ送信することと、
前記第２の要求メッセージに応じて、少なくとも第２の応答メッセージを、前記第４のデバイスから受信することとを備え、ここで、前記第２の応答メッセージは、前記第３のデバイスと前記第４のデバイスとの間の少なくとも前記第２の接続に関する前記第２のリンク・メトリック情報を含む、
請求項１に記載の方法。
【請求項１２】
前記第２のデバイスまたは前記第４のデバイスの何れかを経由して前記第１のデバイスから前記第３のデバイスへ通信するために、通信経路を、前記第１のデバイスにおいて選択することをさらに備え、
前記選択することは、前記第１のリンク・メトリック情報と前記第２のリンク・メトリック情報とに、少なくとも部分的に基づく、請求項１１に記載の方法。
【請求項１３】
前記リンク・メトリック情報は、前記少なくとも１つの接続の利用量、前記少なくとも１つの接続の容量に対する利用量のパーセンテージ、前記少なくとも１つの接続のスループット、前記少なくとも１つの接続の利用可能な帯域幅、前記少なくとも１つの接続の誤り率、および、前記少なくとも１つの接続のアクセス技術タイプから成る群のうちの少なくとも１つの要素を含む、請求項１に記載の方法。
【請求項１４】
前記近隣を指定するための要求メッセージは、前記第３のデバイスに関連付けられたメディアアクセス制御(ＭＡＣ)アドレスを含む請求項１に記載の方法。
【請求項１５】
ネットワークで通信するため第１のデバイスであって、
ネットワークインタフェースと、
プロセッサと、
その上に記憶されている命令を有するメモリとを備え、
前記命令が前記プロセッサによって実行されるとき、前記第１のデバイスに、
前記第１のデバイスの前記ネットワークインタフェースを介して、第２のデバイスの近隣を指定するための要求メッセージを第１のデバイスから前記第２のデバイスへ送信させ、ここで、前記要求メッセージは、前記第２のデバイスと前記近隣との間の少なくとも１つの接続に関するリンク・メトリック情報の要求を含み、ここで、第３のデバイスは、前記要求メッセージ中で指定された前記第２のデバイスの近隣である、
前記要求メッセージに応じて、前記第２のデバイスから応答メッセージを受信させ、ここで、前記応答メッセージは、前記リンク・メトリック情報を含む、第１のデバイス。
【請求項１６】
前記要求メッセージは、前記第２のデバイスと前記第３のデバイスとの間の複数の接続を特定する、請求項１５に記載の第１のデバイス。
【請求項１７】
前記応答メッセージに含まれる前記リンク・メトリック情報は、前記第２のデバイスと前記第３のデバイスとの間の複数の接続の各々に関するインタフェース特有リンク・メトリック情報を備える、請求項１５に記載の第１のデバイス。
【請求項１８】
前記要求メッセージは、通知予約を確立する予約メッセージを備え、前記予約メッセージは、前記通知予約が、トリガされた通知、定期的な通知、および、トリガされた通知と定期的な通知との組み合わせから成る群のうちの少なくとも１つの要素を要求することに関連付けられていることを示す、請求項１５に記載の第１のデバイス。
【請求項１９】
前記トリガされた通知は、前記リンク・メトリック情報における変化が、しきい量を超えたことに少なくとも部分的に基づいて受信される、請求項１８に記載の第１のデバイス。
【請求項２０】
前記命令は、前記プロセッサによって実行されたとき、前記第１のデバイスに、
複数のデバイスの各々における少なくとも１つのインタフェースに関するリンク・メトリック情報要求する要求を、前記複数のデバイスに送信させる、請求項１５に記載の第１のデバイス。
【請求項２１】
前記命令は、前記プロセッサによって実行されたとき、前記第１のデバイスに、
前記リンク・メトリック情報に少なくとも部分的に基づいて、前記第３のデバイスへの通信経路を選択させる、請求項１５に記載の第１のデバイス。
【請求項２２】
命令を含む非一時的コンピュータ読取可能媒体であって、
前記命令は、第１のデバイスの少なくとも１つのプロセッサによって実行されるとき、前記第１のデバイスに、
第２のデバイスの近隣を指定するための要求メッセージを前記第１のデバイスから前記第２のデバイスへ送信させ、ここで、前記要求メッセージは、前記第２のデバイスと前記近隣との間の少なくとも１つの接続に関するリンク・メトリック情報の要求を含み、ここで、第３のデバイスは、前記要求メッセージ中で指定された前記第２のデバイスの近隣である、
前記要求メッセージに応じて、前記第２のデバイスから応答メッセージを受信させ、ここで、受信した前記応答メッセージは、前記リンク・メトリック情報を含む、非一時的コンピュータ読取可能媒体。
【請求項２３】
第１のデバイスの少なくとも１つのプロセッサによって実行されるとき、前記第１のデバイスに、
前記リンク・メトリック情報に少なくとも部分的に基づいて、前記第２のデバイスと前記第３のデバイスとの間の複数の接続のうちの１つ以上を、前記第１のデバイスにおいて選択させ、
前記第２のデバイスを経由して前記第１のデバイスから前記第３のデバイスへ通信を生じさせて、前記選択された複数の接続のうちの１つ以上を使用させる命令をさらに含む、、請求項２２に記載の非一時的コンピュータ読取可能媒体。
【請求項２４】
前記要求メッセージは、通知予約を確立する予約メッセージを備え、ここで、前記通知予約は、定期的な通知メッセージに関連付けられ、前記第１のデバイスの前記少なくとも１つのプロセッサによって実行されるとき、前記第１のデバイスに、時間インタバルにしたがって、前記定期的な通知メッセージを受信させる命令をさらに含む、請求項２２に記載の非一時的コンピュータ読取可能媒体。
【請求項２５】
前記要求メッセージは、通知予約を確立する予約メッセージを備え、前記通知予約は、前記リンク・メトリック情報における変化が、しきい量を超えたことに少なくとも部分的に基づいて、トリガされた通知に関連付けられる、請求項２２に記載の非一時的コンピュータ読取可能媒体。
【請求項２６】
ネットワークで通信するための方法であって、
第２のデバイスの近隣を指定するための要求メッセージを第１のデバイスから前記第２のデバイスによって受信することと、ここで、前記要求メッセージは、前記第２のデバイスと前記近隣との間の少なくとも１つの接続に関するリンク・メトリック情報の要求を含み、ここで、第３のデバイスは、前記要求メッセージ中で指定された前記第２のデバイスの近隣である、
前記少なくとも１つの接続に関する前記リンク・メトリック情報を前記第２のデバイスによって決定することと、
前記要求メッセージに応じて、前記第２のデバイスから前記第１のデバイスへの応答メッセージを送信することとを備え、ここで、前記応答メッセージは、前記リンク・メトリック情報を含む、方法。
【請求項２７】
前記応答メッセージは、前記第２のデバイスと前記第３のデバイスとの間の複数の接続についての前記リンク・メトリック情報を含む、請求項２６に記載の方法。
【請求項２８】
前記要求メッセージは、通知予約を確立する予約メッセージを備え、前記予約メッセージは、前記通知予約が、トリガされた通知、定期的な通知、および、トリガされた通知と定期的な通知との組み合わせから成る群のうちの少なくとも１つの要素を要求することに関連付けられていることを示す、請求項２６に記載の方法。
【請求項２９】
時間インタバルにしたがって、前記定期的な通知を送信することをさらに備える請求項２８に記載の方法。
【請求項３０】
前記リンク・メトリック情報を決定した後に、前記リンク・メトリック情報が、しきい量を超えて変化したか否かを決定することをさらに備え、
前記応答メッセージを送信することは、前記リンク・メトリック情報が前記しきい量を超えて変化したことを決定したことに応じて、前記トリガされた通知を送信することを備える、請求項２８に記載の方法。
【請求項３１】
前記応答メッセージは、前記第２のデバイスと前記第３のデバイスとの間の複数の接続についての前記リンク・メトリック情報を含む、請求項２６に記載の方法。